(57)【特許請求の範囲】
【請求項１】
内容物を収納する収納部と、
前記収納部の内部に設けられて前記収納部に臨む吸込口及び吹出口を開口する循環ダクトと、
前記循環ダクトの内部に配置される送風機と、
前記循環ダクトの内部に配置されて着脱可能な脱臭ユニットと、
前記循環ダクトに設けられて前記収納部の内側に臨み、前記循環ダクトの外部に対して前記脱臭ユニットを着脱可能にするための開口部と、
前記循環ダクトの内部と前記循環ダクトの外部とを連通させる連通孔を有し、前記循環ダクトの内部の前記開口部の下方に設けられて前記循環ダクトの内部に侵入した液体を除去するための液体除去部と、
を備えることを特徴とする脱臭保存庫。
【請求項２】
前記液体除去部が前記開口部と前記送風機との間に設けられることを特徴とする請求項１に記載の脱臭保存庫。
【請求項３】
前記循環ダクトの内部に対する前記連通孔の外側に、前記連通孔から離隔させて対向させた壁部を設けたことを特徴とする請求項１または請求項２に記載の脱臭保存庫。
【請求項４】
内容物を収納する収納部と、
前記収納部に臨む吸込口及び吹出口を開口する循環ダクトと、
前記循環ダクトの内部に配置される送風機と、
前記循環ダクトの内部に配置されて着脱可能な脱臭ユニットと、
前記循環ダクトに設けられて前記収納部の内側に臨み、前記循環ダクトの外部に対して前記脱臭ユニットを着脱可能にするための開口部と、
液体を吸収する吸収体を有し、前記循環ダクトの内部の前記開口部の下方に設けられて前記循環ダクトの内部に侵入した液体を除去するための液体除去部と、
を備えることを特徴とする脱臭保存庫。
【請求項５】
前記液体除去部が前記開口部と前記送風機との間に設けられることを特徴とする請求項４に記載の脱臭保存庫。
【発明の詳細な説明】
【技術分野】
【０００１】
本発明は内容物を脱臭して保存する脱臭保存庫に関する。
【背景技術】
【０００２】
生ゴミや衛生ゴミなどは自治体や業者等による回収日まで各家庭に貯めておかれる。このため、特に夏場などはゴミの臭いが発生し、家庭内に不快な臭気をもたらすという問題がある。
【０００３】
従来の脱臭保存庫が特許文献１に開示されている。この脱臭保存庫は生ゴミ等の廃棄物を収容する容器の上面を蓋部により開閉し、蓋部の下面中央部に有底筒状のダクト部が設けられる。ダクト部は周面及び下面に各々吸込口及び吹出口を開口し、内部に光触媒型の脱臭剤及び送風機が配置される。送風機の駆動によって容器内の臭気成分を含む空気が吸込口を介してダクト部に流入し、脱臭剤を通過して吹出口から下方に送出される。これにより、廃棄物から発生する臭いを脱臭剤で脱臭することができる。
【先行技術文献】
【特許文献】
【０００４】
【特許文献１】特開２００４−２０３５００号公報
【発明の概要】
【発明が解決しようとする課題】
【０００５】
しかしながら、上記従来の脱臭保存庫は脱臭剤の下方にファン及びモータが配置されているので、脱臭剤を取り外すなどしてその周辺を清掃する場合に水などの液体がモータにかかる可能性があった。これにより、水などの液体が付着して電気部材であるモータが故障するという問題があった。
【０００６】
本発明は上記の点に鑑みなされたものであり、電気部材の故障を抑制することが可能な脱臭保存庫を提供することを目的とする。
【課題を解決するための手段】
【０００７】
上記の課題を解決するため、本発明の脱臭保存庫は、内容物を収納する収納部と、前記収納部に臨む吸込口及び吹出口を開口する循環ダクトと、前記循環ダクトの内部に配置される送風機と、前記循環ダクトの内部に配置されて着脱可能な脱臭ユニットと、前記循環ダクトに設けられて前記循環ダクトの外部に対して前記脱臭ユニットを着脱可能にするための開口部と、前記循環ダクトの内部の前記開口部の下方に設けられて前記循環ダクトの内部に侵入した液体を除去するための液体除去部と、を備えることを特徴とする。
【０００８】
また、上記構成の脱臭保存庫において、前記液体除去部が前記開口部と前記送風機との間に設けられることを特徴とする。
【０００９】
また、上記構成の脱臭保存庫において、前記液体除去部が前記循環ダクトの内部と外部とを連通させる連通孔を有することを特徴とする。
【００１０】
また、上記構成の脱臭保存庫において、前記循環ダクトの内部に対する前記連通孔の外側に、前記連通孔から離隔させて対向させた壁部を設けたことを特徴とする。
【００１１】
また、上記構成の脱臭保存庫において、前記液体除去部が液体を吸収する吸収体を有することを特徴とする。
【発明の効果】
【００１２】
本発明の構成によれば、電気部材の故障を抑制することが可能な脱臭保存庫を提供することができる。
【図面の簡単な説明】
【００１３】
【図１】本発明の第１実施形態の脱臭保存庫の斜視図である。
【図２】本発明の第１実施形態の脱臭保存庫の垂直断面側面図である。
【図３】本発明の第１実施形態の脱臭保存庫の循環ダクトを正面側から見た斜視図である。
【図４】本発明の第１実施形態の脱臭保存庫の循環ダクトを背面側から見た斜視図である。
【図５】本発明の第１実施形態の脱臭保存庫の循環ダクトを背面側から見た部分概略斜視図である。
【図６】本発明の第１実施形態の脱臭保存庫の循環ダクトを背面側から見た部分概略斜視図である。
【図７】本発明の第１実施形態の脱臭保存庫の循環ダクトの部分背面図である。
【図８】本発明の第２実施形態の脱臭保存庫の循環ダクトを背面側から見た斜視図である。
【図９】本発明の第２実施形態の脱臭保存庫の循環ダクトの部分背面図である。
【図１０】本発明の第３実施形態の脱臭保存庫の循環ダクトの部分背面図である。
【発明を実施するための形態】
【００１４】
以下、本発明の実施形態を図１〜図１０に基づき説明する。
【００１５】
＜第１実施形態＞
最初に、本発明の第１実施形態の脱臭保存庫について、図１及び図２を用いてその構造の概略を説明する。図１は脱臭保存庫を正面側から見た斜視図であり、図２は脱臭保存庫の垂直断面側面図である。図２において左方が脱臭保存庫の前方（正面側）であり、右方が脱臭保存庫の後方（背面側）である。
【００１６】
脱臭保存庫１は、図１及び図２に示すように床面に設置される本体部２と本体部２の上面を覆う蓋部１０とを備える。本体部２は外装を形成する外箱３を有する。外箱３の底面にはキャスター１７、１８が設けられ、外箱３の前面上部にはハンドル１６が設けられる。ユーザはハンドル１６を把持して脱臭保存庫１を床面上で移動させることができる。
【００１７】
蓋部１０は外箱３の後端で枢支され、外箱３の上面の開口部３ａを開閉する。蓋部１０の上面前部には蓋部１０を開く開ボタン１１が設けられる。
【００１８】
外箱３は水平断面形状が略矩形に形成され、前方が下がる傾斜面からなる上面に開口部３ａを開口する。外箱３の底部には機械室５が設けられる。機械室５の上方には仕切壁９を介して収納部４が設けられる。仕切壁９を含む収納部４の壁面は発泡ウレタン等の断熱材を充填して形成される。
【００１９】
蓋部１０は外箱３の後端に設けられたヒンジ部１２によって枢支される。ヒンジ部１２には蓋部１０を開く方向に付勢する捻りバネからなる付勢部（不図示）が設けられる。蓋部１０の前部下面には下方に向かって突出する係止爪（不図示）が設けられ、外箱３の前部上面には係止爪が係合する孔部（不図示）が設けられる。係止爪が孔部に係合して蓋部１０が閉じられ、開ボタン１１の押下により係止爪と孔部との係合を解除して蓋部１０が開かれる。
【００２０】
開口部３ａの周囲及び開口部３ａの周囲に対向する蓋部１０には外箱３と蓋部１０との隙間を塞ぐ環状のパッキン（不図示）が設けられる。これにより、外箱３と蓋部１０との隙間からの臭気成分の流出を防止することができる。
【００２１】
外箱３の底面に配置されるキャスター１７、１８は機械室５の底板５ｃに取り付けられる。前方の左右一対のキャスター１７は鉛直な回転軸及び水平な回転軸を有し、底板５ｃの取付面５ａに取り付けられる。後方の左右一対のキャスター１８は水平な回転軸を有し、取付面５ａに対して下方に配置される凹部５ｂに取り付けられる。
【００２２】
凹部５ｂの内部には冷凍サイクルを運転する圧縮機７が支持板７ａを介して取り付けられる。これにより、後述する内ケース６を配置した収納部４の下方に圧縮機７が配置される。したがって、脱臭保存庫１の設置スペースを小さくし、居室内に脱臭保存庫１を設置することができる。
【００２３】
また、キャスター１７の取付面５ａ対して下方に配置される凹部５ｂに圧縮機７が設置されるため、機械室５の高さを低くすることができる。これにより、内容積の大きい収納部４を形成するとともに、外箱３の開口部３ａを低い位置に設けることができる。
【００２４】
圧縮機７には冷媒管から成る冷却器８が接続される。冷却器８は蛇行により収納部４の前壁及び両側壁の内部に配置される。圧縮機７により冷凍サイクルが運転されると、冷却器８によって収納部４の内部が冷蔵温度（０℃〜１０℃）に冷却される（本実施形態では３℃）。収納部４の内部を氷点よりも高温の冷蔵温度に冷却することにより、結露水の凍結による蓋部１０や後述する内ケース６の固着を防止することができる。
【００２５】
本体部２の前面の下端部には操作パネル１５が設けられる。操作パネル１５は電源をオンオフするためのボタンと、電源オンのときに光るＬＥＤ（Light Emitting Diode）とを備える。また例えば、操作パネル１５に液晶表示パネルを設け、収納部４の内部の温度を表示することにしても良い。
【００２６】
仕切壁９の内部には収納部４と外箱３の外部とを連通させるドレンパイプ３３が設けられる。収納部４の冷却により収納部４の内部に発生する結露水はドレンパイプ３３を介して排水される。なお、機械室５の内部に結露水の受け皿を設け、ドレンパイプ３３により収納部４と受け皿とを連通させても良い。また、ドレンパイプ３３を有さない構成とすることもできる。
【００２７】
収納部４の内部には上面を開口して廃棄物が投入される内ケース６が配置される。内ケース６は水平断面形状が略矩形に形成され、開口部３ａを介して廃棄物が出し入れされる。内ケース６には廃棄物を出し入れする際に把持される把手（不図示）が設けられる。内ケース６の内部に廃棄物が投入されるゴミ袋を設け、開口部３ａを介してゴミ袋を出し入れしても良い。
【００２８】
収納部４には収納部４の内部の空気を循環させる循環ダクト２０が設けられる。循環ダクト２０は収納部４の背壁からなる設置壁４ａに配置される。循環ダクト２０には収納部４の内部の温度を検知する温度センサ３６が設けられる。温度センサ３６の検知結果に基づいて圧縮機７をオンオフし、収納部４の内部が所定温度に維持される。
【００２９】
続いて、循環ダクト２０の詳細な構成について、図１及び図２に加えて、図３〜図７を用いて説明する。図３及び図４は循環ダクト２０を正面側から見た斜視図及び背面側から見た斜視図である。図５及び図６はともに循環ダクト２０を背面側から見た部分概略斜視図であって、図５が後方のやや側方から見たもの、図６が後方のやや上方から見たものである。図７は循環ダクト２０の部分背面図である。なお、図４〜図７の白抜き矢印が空気の流通経路及び流通方向を示す。
【００３０】
図３及び図４に示すように、循環ダクト２０の前面の上端部には吸込口２２ｂ及び吹出口２２ａが開口する。吸込口２２ｂは前方から見て右方に偏った位置に配置され、吹出口２２ａは前方から見て左方に偏った位置に配置される。吸込口２２ｂ及び吹出口２２ａは内ケース６（図２参照）の上端よりも上方に配置される。
【００３１】
循環ダクト２０の内部には遠心ファンからなる送風機２５が配置される。循環ダクト２０の下部は前方に突出し、送風機２５の前方に面した吸気口に気流を導く。吸込口２２ｂと送風機２５の吸気口との間に吸気路２２ｃが形成され、送風機２５の排気口と吹出口２２ａとの間に排気路２２ｄが形成される。
【００３２】
排気路２２ｄの上側の側壁２０ｂには排気路２２ｄの内部にイオンを放出するイオン発生装置２６が配置される。イオン発生装置２６は放電電極（不図示）を有し、放電電極に交流波形またはインパルス波形からなる高電圧を印加して起こるコロナ放電によりイオンやオゾンを発生する。イオン発生装置２６により発生するイオンは脱臭、除菌の効果があるものが好ましく、例えばマイナスイオンや、プラスイオンとマイナスイオンの対などが好ましい。
【００３３】
イオン発生装置２６と吹出口２２ａとの間の排気路２２ｄの内部には脱臭ユニット５０が着脱可能に配置される。脱臭ユニット５０は脱臭体５１とハウジング５２とを有する。
【００３４】
脱臭体５１は酸化マンガン等の金属酸化物やゼオライト等の吸着剤をハニカム状の基材に担持して形成される。脱臭体５１は臭気成分の化学吸着や物理吸着によって循環ダクト２０の内部の空気を脱臭する。ハウジング５２は樹脂成形品により形成され、脱臭体５１の周囲を覆うとともに空気の流入口５２ａ及び流出口５２ｂを開口する。脱臭体５１はハニカム状の開口面がハウジング５２の流入口５２ａ及び流出口５２ｂに対向するようにハウジング５２の内部に配置される。これにより、収納部４の内部の脱臭効果をより向上させることができる。
【００３５】
上記構成の脱臭保存庫１において、開ボタン１１の押下により蓋部１０が開き、内ケース６の内部または内ケース６に配置したゴミ袋の内部に廃棄物を投入して蓋部１０が閉じられる。圧縮機７の駆動によって冷凍サイクルが運転され、収納部４の内部が冷蔵温度に冷却される。これにより、廃棄物からの臭気成分を含む水分の蒸散が抑制される。
【００３６】
また、送風機２５の駆動により収納部４の内部の空気は図４に矢印Ａ１で示したように吸込口２２ｂを介して循環ダクト２０に流入する。このとき、イオン発生装置２６を駆動させる。循環ダクト２０に流入した空気は矢印Ａ２（図４参照）に示すように吸気路２２ｃを流通し、送風機２５に導かれる。
【００３７】
送風機２５から排気された空気は矢印Ｂ１（図４参照）に示すように排気路２２ｄを流通し、イオン発生装置２６により発生したイオンによって殺菌及び脱臭が行われる。排気路２２ｄを流通する空気は流入口５２ａを介して脱臭ユニット５０のハウジング５２の内部に流入する。ハウジング５２の内部に流入した空気は脱臭体５１を通過した後に流出口５２ｂを介してハウジング５２の外部へ流出する。これにより、送風機２５から排気された空気はさらに脱臭される。
【００３８】
脱臭体５１を通過して流出口５２ｂから流出した空気は矢印Ｂ２（図４参照）に示すように吹出口２２ａから収納部４の内部に送出される。吹出口２２ａから送出された空気に含まれるイオンは収納部４の内部に拡散され、収納部４の内部の殺菌及び脱臭が行われる。
【００３９】
イオン発生装置２６を脱臭ユニット５０の空気流通方向上流側に配置することで、イオンが脱臭体５１に吸着した臭気成分を分解する。これにより、脱臭体５１の長寿命化を図ることができる。なお、脱臭ユニット５０をイオン発生装置２６の空気流通方向上流側に配置しても良い。この場合、吹出口２２ａから収納部４に直接イオンやオゾンを放出することができる。
【００４０】
また、脱臭ユニット５０のハウジング５２はハウジング５２の正面側に配置される蓋部５２ｄを備える。蓋部５２ｄの上端部の左右方向の中央部には係合部５２ｅが設けられる。係合部５２ｅは上端を手指で下方に向けて押圧すると弾性変形する。蓋部５２ｄの下端部の左右方向の両端には係止片（不図示）が設けられる。
【００４１】
一方、脱臭ユニット５０の正面側であって、脱臭ユニット５０の配置領域に対応する箇所には開口部２０ａが設けられる。開口部２０ａは循環ダクト２０の外部に対して脱臭ユニット５０を着脱可能にする。開口部２０ａが収納部４の内側に臨むので、脱臭ユニット５０は収納部４の内側から着脱することができる。
【００４２】
蓋部５２ｄの下端の係止片を循環ダクト２０の開口部２０ａの下端に係合させた後、脱臭体５１を開口部２０ａから循環ダクト２０の内側に挿入する。そして、蓋部５２ｄの係合部５２ｅを弾性変形させ、開口部２０ａの上端に係合させる。これにより、開口部２０ａが蓋部５２ｄにより閉じられ、脱臭ユニット５０が本体部２に取り付けられる。このとき、図３に示すように蓋部５２ｄは収納部４の内部に面して配置される。
【００４３】
脱臭保存庫１の使用により脱臭体５１の脱臭性能は低下するため、所定期間の使用の後に脱臭体５１を交換する必要性が生じる。脱臭体５１の交換の際には、開ボタン１１の押下により蓋部１０を開いた後に、脱臭ユニット５０の蓋部５２ｄの係合部５２ｅ及び係止片と開口部２０ａの周縁との係合を解除して脱臭ユニット５０を本体部２から取り外す。そして、交換用の脱臭ユニット５０の係合部５２ｅ及び係止片を開口部２０ａの周縁に係合させることにより、交換用の脱臭ユニット５０を本体部２に取り付ける。
【００４４】
ここで、脱臭保存庫１を使用するにあたって、脱臭ユニット５０を本体部２から取り外して、開口部２０ａの周辺を清掃することがある。このとき、開口部２０ａから循環ダクト２０の内部に侵入した水などの液体を除去するために、循環ダクト２０は図４〜図７に示す液体除去部６０を備える。
【００４５】
液体除去部６０は循環ダクト２０の内部の開口部２０ａの下方であって、排気路２２ｄの下側の側壁２０ｃに設けられる。液体除去部６０は開口部２０ａと送風機２５との間に設けられる。液体除去部６０は循環ダクト２０の内部と外部とを連通させる連通孔６１を有する。
【００４６】
これにより、開口部２０ａを介して循環ダクト２０の内部に侵入した水などの液体は液体除去部６０の連通孔６１から循環ダクト２０の外部に排出され、送風機２５に到達しない。なお、連通孔６１の下方にドレンパイプや受け皿などといった排液部材を設けても良い。
【００４７】
＜第２実施形態＞
次に、本発明の第２実施形態の脱臭保存庫について、図８及び図９を用いて説明する。図８は脱臭保存庫の循環ダクトを背面側から見た斜視図であり、図９は循環ダクトの部分背面図である。なお、この実施形態の基本的な構成は先に説明した第１実施形態と同じであるので、第１実施形態と共通する構成要素には前と同じ符号を付してその説明を省略するものとする。
【００４８】
第２実施形態の脱臭保存庫１は、図８及び図９に示すように液体除去部６０が連通孔６１に加えて壁部６２を備える。壁部６２は循環ダクト２０の内部に対する連通孔６１の外側であって、排気路２２ｄの下側の側壁２０ｃのさらに下側に設けられる。壁部６２は液体除去部６０の連通孔６１から所定の間隔を設けて離隔されて配置されている。壁部６２は、図９に示すように連通孔６１に対向する対向部６２ａと、対向部６２ａから下方に延びる延設部６２ｂとを有する。
【００４９】
これにより、開口部２０ａを介して循環ダクト２０の内部に侵入した水などの液体は連通孔６１から壁部６２の対向部６２ａの上面に滴下する。さらに、その液体は連通孔６１と壁部６２との隙間において、対向部６２ａ及び延設部６２ｂの表面を伝って下方に導かれる。
【００５０】
また、排気路２２ｄを流通する空気は液体除去部６０の連通孔６１から循環ダクト２０の外部へ漏洩する虞がある。しかしながら、この構成にように壁部６２を設ければ、排気路２２ｄを流通する空気の連通孔６１からの漏洩が抑制される。
【００５１】
＜第３実施形態＞
次に、本発明の第３実施形態の脱臭保存庫について、図１０を用いて説明する。図１０は脱臭保存庫の循環ダクトの部分背面図である。なお、この実施形態の基本的な構成は先に説明した第１及び第２実施形態と同じであるので、これら実施形態と共通する構成要素には前と同じ符号を付してその説明を省略するものとする。
【００５２】
第３実施形態の脱臭保存庫１は、図１０に示すように液体除去部６０が水などの液体を吸収する吸収体６３を備える。吸収体６３は排気路２２ｄの下側の側壁２０ｃに設けられて排気路２２ｄに臨む凹部６４の内部に配置される。吸収体６３は水などの液体を吸収するスポンジなどからなる。
【００５３】
これにより、開口部２０ａを介して循環ダクト２０の内部に侵入した水などの液体は吸収体６３に吸収される。吸収体６３に吸収された液体は排気路２２ｄを流通する空気によって蒸発する。
【００５４】
上記のように、脱臭保存庫１は内容物を収納する収納部４と、収納部４に臨む吸込口２２ｂ及び吹出口２２ａを開口する循環ダクト２０と、循環ダクト２０の内部に配置される送風機２５と、循環ダクト２０の内部に配置されて着脱可能な脱臭ユニット５０と、循環ダクト２０に設けられて循環ダクト２０の外部に対して脱臭ユニット５０を着脱可能にするための開口部２０ａと、循環ダクト２０の内部の開口部２０ａの下方に設けられて循環ダクト２０の内部に侵入した液体を除去するための液体除去部６０と、を備える。
【００５５】
この構成によれば、開口部２０ａを介して循環ダクト２０の内部に侵入した水などの液体は液体除去部６０によって除去される。したがって、循環ダクト２０の内部に侵入した液体が送風機２５などの電気部材に到達しないようにすることができ、循環ダクト２０の内部に侵入した液体に起因する電気部材の故障を抑制することが可能である。
【００５６】
また、脱臭保存庫１において、液体除去部６０が開口部２０ａと送風機２５との間に設けられる。
【００５７】
この構成によれば、循環ダクト２０の内部に侵入した液体が送風機２５に到達する前に液体除去部６０によって除去される。したがって、循環ダクト２０の内部に侵入した液体に起因する送風機２５の故障を抑制することが可能である。
【００５８】
また、脱臭保存庫１において、液体除去部６０が循環ダクト２０の内部と外部とを連通させる連通孔６１を有する。
【００５９】
この構成によれば、開口部２０ａを介して循環ダクト２０の内部に侵入した水などの液体を液体除去部６０の連通孔６１から循環ダクト２０の外部に排出することができる。したがって、循環ダクト２０の内部に侵入した液体が送風機２５に到達しないので、その液体に起因する送風機２５の故障を抑制することが可能である。
【００６０】
そして、脱臭保存庫１には循環ダクト２０の内部に対する連通孔６１の外側に、連通孔６１から離隔させて対向させた壁部６２が設けられる。
【００６１】
循環ダクト２０に液体除去部６０としての連通孔６１を設けると、循環ダクト２０を流通する空気は連通孔６１から循環ダクト２０の外部へ漏洩する虞がある。しかしながら、この構成にように壁部６２を設ければ、循環ダクト２０を流通する空気の連通孔６１からの漏洩が抑制することが可能である。また、壁部６２が連通孔６１から離隔しているので、連通孔６１と壁部６２との隙間において壁部６２を利用して所望の箇所に液体を導くことができる。
【００６２】
また、脱臭保存庫１において、液体除去部６０が液体を吸収する吸収体６３を有する。
【００６３】
この構成によれば、開口部２０ａを介して循環ダクト２０の内部に侵入した水などの液体を吸収体６３に吸収させることができる。そして、吸収体６３に吸収させた液体を循環ダクト２０を流通する空気によって蒸発させることが可能である。
【００６４】
そして、本発明の上記実施形態の構成によれば、送風機２５などの電気部材の故障を抑制することが可能な脱臭保存庫１を提供することができる。
【００６５】
以上、本発明の実施形態につき説明したが、本発明の範囲はこれに限定されるものではなく、発明の主旨を逸脱しない範囲で種々の変更を加えて実施することができる。
【産業上の利用可能性】
【００６６】
本発明は臭いを発生する内容物を収容する脱臭保存庫において利用可能である。
【符号の説明】
【００６７】
１    脱臭保存庫
２    本体部
３    外箱
３ａ    開口部
４    収納部
６    内ケース
１０    蓋部
２０    循環ダクト
２０ａ    開口部
２２ａ    吹出口
２２ｂ    吸込口
２２ｃ    吸気路
２２ｄ    排気路
２５    送風機
２６    イオン発生装置
５０    脱臭ユニット
５１    脱臭体
５２ｄ    蓋部
６０    液体除去部
６１    連通孔
６２    壁部
６３    吸収体
【図１】
0006258818.tif 000002
【図２】
0006258818.tif 000003
【図３】
0006258818.tif 000004
【図４】
0006258818.tif 000005
【図５】
0006258818.tif 000006
【図６】
0006258818.tif 000007
【図７】
0006258818.tif 000008
【図８】
0006258818.tif 000009
【図９】
0006258818.tif 000010
【図１０】
0006258818.tif 000011